(57)【要約】【課題】  処置具チャンネルなどの複数の管路を連通する連通路の洗浄を容易とし，さらには手元操作部の洗浄も容易として洗浄の手間を極力省く。【解決手段】  挿入部から手元操作部１０４へわたって配設され，この挿入部の先端において開口する複数の処置具チャンネルと，手元操作部の外側に突出して設けられる基端部１７０とこの基端部の先端に脱着自在に接続される先端部１８０とからなる突出部１６０と，突出部の基端部に設けられ，複数の処置具チャンネルにそれぞれ接続される複数の鉗子挿入管１２６，１３６と，突出部の先端部に設けられ，鉗子挿入管にそれぞれ接続される複数の鉗子口１２４，１３４とを備え，突出部の基端部には，先端部との接続面１７２に複数の鉗子挿入管を連通する連通路を構成する連通溝１５２を形成するとともに，他方には連通路を連通又は遮断する切換手段１９０を設けた。【選択図】    図２
2005185636.tif 000002
【特許請求の範囲】
【請求項１】
挿入部と，この挿入部に連設される手元操作部を備える内視鏡において，
少なくとも前記挿入部から前記手元操作部へわたって配設され，この挿入部の先端において開口する複数の管路と，
前記手元操作部の外側に突出して設けられる基端部と，この基端部の先端に脱着自在に接続される先端部とからなる突出部と，
前記突出部の基端部に設けられ，前記複数の管路にそれぞれ接続される複数の処置具挿入管と，
前記突出部の先端部に設けられ，前記処置具挿入管にそれぞれ接続される複数の処置具挿入口とを備え，
前記突出部における前記基端部又は前記先端部のうち，一方には前記基端部と前記先端部との接続面に前記複数の処置具挿入管を連通する連通路を構成する連通溝を形成するとともに，他方には前記連通路を連通又は遮断する切換手段を設けることを特徴とする内視鏡。
【請求項２】
前記切換手段は，カム部材を利用して構成し，前記カム部材を回転させることにより，前記カム部材の縁部により前記連通路を連通又は遮断することを特徴とする請求項１に記載の内視鏡。
【請求項３】
前記切換手段は，スライド部材を利用して構成し，前記スライド部材を前記連通溝に対して進退方向にスライドさせることにより，前記連通路を連通又は遮断することを特徴とする請求項１に記載の内視鏡。
【請求項４】
前記切換手段は，伸縮自在な遮蔽部材により前記連通路から遮蔽され，前記遮蔽部材を介して前記連通路を連通又は遮断することを特徴とする請求項１〜３のいずれかに記載の内視鏡。
【発明の詳細な説明】
【技術分野】
【０００１】
本発明は，手元操作部に処置具などを挿入する挿入口を複数備えた内視鏡に関する。
【背景技術】
【０００２】
この種の内視鏡としては，吸引管路として兼用される２本の鉗子チャンネルを備え，これら２本の鉗子チャンネルを連通又は遮断できるように構成されるものが知られている。このような内視鏡では，一方の鉗子チャンネルに吸引装置を接続することにより，他方の鉗子チャンネルを切換バルブを介して一方の鉗子チャンネルに連通した状態で吸引装置を駆動すると，２本の鉗子チャンネルで同時に内視鏡先端部から吸引することができ，また，切換バルブを閉成すれば，一方の鉗子チャンネルのみで内視鏡先端部から吸引することができる。
【０００３】
【特許文献１】特開２０００−２７１０７９号公報
【特許文献２】特開平１０−２４３９１８号公報
【発明の開示】
【発明が解決しようとする課題】
【０００４】
しかしながら，従来は，２つの鉗子チャンネルを接続する連通路が内視鏡本体に形成されていたため，吸引する際に連通路に溜った汚物を洗浄するのが容易でなく，手間がかかるいという問題があった。例えば連通路は通常，鉗子チャンネルへ接続する途中にこれら鉗子チャンネルの方向とほぼ直交して形成されているので，鉗子チャンネルからブラシを挿入しても連通路を洗浄するのは容易でない。
【０００５】
この点，例えば特許文献１には，内視鏡の手元操作部に形成された突出部に切換バルブを設け，この切換バルブに連通路の一部を形成するものが記載されている。このようなタイプの内視鏡の具体例を図面を参照しながら説明する。図６は内視鏡の手元操作部を示す外観図であり，図７は突出部の断面図であって，鉗子口の軸方向に沿って切断した場合の断面図である。
【０００６】
図６，図７に示すように，内視鏡１０の挿入部１２に連設される手元操作部１４には前傾した突出部２０が形成されており，この突出部２０の上端部には２つの鉗子口２２ａ，２２ｂが並設されている。これらの鉗子口２２ａ，２２ｂはそれぞれ鉗子挿入管２４ａ，２４ｂを介して図示しない鉗子チャンネルに接続されている。
【０００７】
鉗子挿入管２４ａ，２４ｂはそれぞれ連通路を介して接続可能に構成されている。具体的には，鉗子挿入管２４ａ，２４ｂの間に切換弁挿入孔２６が形成されており，この切換弁挿入孔２６に切換バルブ３０のバルブ本体３４が回転自在に挿入されている。バルブ本体３４には連通孔３２が形成されており，鉗子挿入管２４ａ，２４ｂに形成される接続用開口２８ａ，２８ｂに接続可能となっている。バルブ本体３４の上端部は，突出部２０の側部に取付けられた摘み部３６に接続されている。バルブ本体３４の連通孔３２と接続用開口２８ａ，２８ｂとにより連通路が形成される。このような内視鏡によれば，つまみ３６を回転してバルブ本体３４を回転させることにより，鉗子挿入管２４ａ，２４ｂを連通路を介して連通又は遮断させることができる。
【０００８】
このような内視鏡では，切換バルブ３０を突出部２０から取外すことにより，バルブ本体３４に形成された連通孔３２にブラシを挿入して洗浄することができる。ところが，鉗子挿入管２４ａ，２４ｂと連通孔３２とを接続する接続用開口２８ａ，２８ｂの部分は洗浄が容易でなく，また切換弁挿入孔２６にも汚物が溜るのでこれを洗浄しなければならない手間もある。
【０００９】
なお，特許文献２には，内視鏡の手元操作部に形成した突出部に鉗子栓を脱着自在に設け，この鉗子栓に上記連通路を設けたものが記載されている。これによれば，鉗子栓のみを取外して鉗子栓のみを洗浄することができる。ところが，このような構成では，鉗子栓に連通路が内設されており，鉗子栓を取外しても連通路は露出することはない。このため，鉗子栓を洗浄する際に，連通路の洗浄が容易でない問題は依然として残る。
【００１０】
そこで，本発明は，このような問題に鑑みてなされたもので，その目的とするところは，処置具チャンネルなどの複数の管路を連通する連通路の洗浄を容易とし，さらには手元操作部の洗浄も容易とすることができ，洗浄の手間を極力省くことができる内視鏡を提供することにある。
【課題を解決するための手段】
【００１１】
上記課題を解決するために，本発明のある観点によれば，挿入部と，この挿入部に連設される手元操作部を備える内視鏡において，少なくとも前記挿入部から前記手元操作部へわたって配設され，この挿入部の先端において開口する複数の管路（例えば処置具チャンネル）と，前記手元操作部の外側に突出して設けられる基端部と，この基端部の先端に脱着自在に接続される先端部とからなる突出部と，前記突出部の基端部に設けられ，前記複数の管路にそれぞれ接続される複数の処置具挿入管と，前記突出部の先端部に設けられ，前記処置具挿入管にそれぞれ接続される複数の処置具挿入口とを備え，前記突出部における前記基端部又は前記先端部のうち，一方には前記基端部と前記先端部との接続面に前記複数の処置具挿入管を連通する連通路を構成する連通溝を形成するとともに，他方には前記連通路を連通又は遮断する切換手段を設けることを特徴とする内視鏡が提供される。
【００１２】
このような本発明によれば，手元操作部の突出部については，その先端部を基端部から取外すだけで，簡単に上記連通路を構成する連通溝を露出させることができる。このため，連通溝を直接洗浄できるので，連通路の洗浄が極めて容易になる。従って手元操作部の洗浄も容易とすることができ，洗浄の手間を極力省くことができる。
【００１３】
また，上記切換手段は，例えばカム部材を利用して構成し，前記カム部材を回転させることにより，前記カム部材の縁部により前記連通路を連通又は遮断するようにしてもよい。また，上記切換手段は，スライド部材を利用して構成し，前記スライド部材を前記連通溝に対して進退方向にスライドさせることにより，前記連通路を連通又は遮断するようにしてもよい。このように本発明でば，手元操作部の突出部における基端部と先端部との接続面に連通溝を設けて連通路を構成するため，切換手段を例えばカム部材やスライド部材のような簡単な部材を利用して構成することにより連通路を連通又は遮断することができるので，部品点数を減らすことができるとともに，手元操作部の重量も減少させることができる。
【００１４】
また，上記切換手段は，伸縮自在な遮蔽部材により前記連通路から遮蔽され，前記遮蔽部材を介して前記連通路を連通又は遮断するようにしてもよい。このように切換手段を遮蔽部材で連通路から遮蔽すれば，内視鏡を使用する際に例えば吸引などにより連通路を通る血液や汚物などが切換手段の方へ入り込むことを防止することができる。これにより，切換手段の部分を取外して別途洗浄する必要もなくなるため，洗浄の手間を省くことができる。
【発明の効果】
【００１５】
以上説明したように本発明によれば，処置具チャンネルなどの複数の管路を連通する連通路の洗浄を容易とし，さらには手元操作部の洗浄も容易とすることができ，洗浄の手間を極力省くことができる内視鏡を提供できるものである。
【発明を実施するための最良の形態】
【００１６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１７】
（本発明にかかる内視鏡の構成例）
先ず，本発明にかかる内視鏡の構成例を図面を参照しながら説明する。図１は，内視鏡の管路構成を示す概略図である。内視鏡１００は，体腔内等へ挿入される挿入部１０２と，挿入部１０２の吸引等の操作をする手元操作部１０４と，光源装置等を含めた制御装置１１０と接続するためのコネクタ部１０８と，手元操作部１０４からコネクタ部１０８に接続するためのユニバーサルコード部１０６とを備えている。
【００１８】
なお，内視鏡１００は，手元操作部１０４からの送気／送水ボタンを操作することにより，挿入部１０２の先端に送気／送水を行う送気／送水機構を備える。また，内視鏡１００は，手元操作部１０４からのアングル操作により挿入部１０２の先端側を構成する湾曲部を湾曲操作して挿入部１０２の先端部の向きを所望の方向へ変えられる湾曲操作機構を備える。これら送気／送水機構，湾曲操作機構は公知のものを適用可能であるので，ここでは詳細な説明を省略する。
【００１９】
内視鏡１００には，吸引管路として兼用される複数の処置具チャンネル例えば鉗子チャンネルが配設されている。ここでは例えば２本の鉗子チャンネルを備える例について説明する。内視鏡１００には２本の鉗子チャンネル１２０，１３０が手元操作部１０４の途中から挿入部１０２の先端にわたって配置されている。各鉗子チャンネル１２０，１３０の先端は挿入部１０２の先端において開口し，その開口部１２２，１３２からはそれぞれ処置具例えば鉗子などを出し入れすることができる。鉗子チャンネル１２０，１３０はそれぞれ，第１の処置具チャンネル（又は第１の鉗子チャンネル），第２の処置具チャンネル（又は第２の鉗子チャンネル）の１例を構成する。
【００２０】
鉗子チャンネル１２０，１３０の基端は手元操作部１０４の先端側に位置している。そして，鉗子チャンネル１２０の基端は手元操作部１０４に形成された突出部１６０の先端に配置される処置具挿入口例えば鉗子口１２４に接続されている。
【００２１】
また，鉗子チャンネル１３０の基端は，分岐部１３１において２つに分岐している。なお，分岐部は分岐部材を接続して構成してもよく，また鉗子チャンネル１３０を分岐させるように構成してもよい。鉗子チャンネル１３０の分岐部１３１の一方側には手元操作部１０４に形成された突出部１６０の先端に上記鉗子口１２４と並設される処置具挿入口例えば鉗子口１３４に接続されている。分岐部１３１の他方側には，操作部側吸引管路１４０が手元操作部１０４の基端側へわたって接続されている。操作部側吸引管路１４０は，手元操作部１０４に設けられた吸引バルブ１４４を介してコネクタ部側吸引管路１４２に接続している。コネクタ部側吸引管路１４２は，手元操作部１０４からユニバーサルコード部１０６を介してコネクタ部１０８へ延出して配置されている。そして，コネクタ部側吸引管路１４２は，例えばコネクタ部１０８において吸引装置例えば吸引ポンプ（図示せず）に接続されている。
【００２２】
吸引バルブ１４４は，操作部側吸引管路１４０とコネクタ部側吸引管路１４２とを連通又は遮断する操作を行うものである。吸引バルブ１４４は，例えば手元操作部１０４に装着された吸引用シリンダと，この吸引用シリンダに摺動自在に設けられた吸引ボタンとを備えて構成される。このような吸引バルブでは，例えば吸引ボタンを押動すると，吸引ボタンの活塞部に設けられた側壁孔とコネクタ部側吸引管路１４２とが連通し，コネクタ部側吸引管路１４２と操作部側吸引管路１４０とが連通する。
【００２３】
鉗子チャンネル１２０，１３０は，手元操作部１０４の鉗子口１２４，１３４の付近に設けられる連通路１５０により連通される。なお，この連通路１５０は後述する切換手段により連通又は遮断できるようになっている。
【００２４】
このような内視鏡１００によれば，鉗子チャンネル１３０を後述する切換手段により連通路１５０を介して鉗子チャンネル１２０に連通した状態で吸引ポンプを作動すると，２本の鉗子チャンネル１２０，１３０で同時に挿入部１０２の先端から吸引することができる。また，後述する切換手段により連通路１５０を遮断すれば，一方の鉗子チャンネル１３０のみで挿入部１０２の先端から吸引することができる。
【００２５】
上述したような鉗子チャンネル１２０，１３０を連通する連通路１５０は，手元操作部１０４の先端側に外側に突出して前傾して形成される突出部１６０に設けられる。このとき，もし連通路１５０を突出部の内部に設けるとすれば，連通路１５０が露出しないため，この連通路１５０の洗浄が容易でないという問題がある。
【００２６】
そこで，本発明にかかる内視鏡１００では，手元操作部１０４に設けられた突出部１６０を基端部１７０と先端部１８０に分割するとともに，突出部１６０の基端部１７０に先端部１８０を脱着自在に接続して，基端部１７０と先端部１８０との接続面に連通路１５０を形成する。これにより，突出部１６０の基端部１７０から先端部１８０を取外した際に連通路１５０が露出するので，連通路１５０を直接洗浄することができ，容易に洗浄することができる。
【００２７】
（第１の実施形態）
次に，上記鉗子チャンネル１２０，１３０を連通する連通路１５０の具体的な構成例を本発明の第１の実施形態として図面を参照しながら説明する。図２は突出部１６０の構成例を示す組立斜視図である。図３は図２に示す突出部１６０が組立てられた状態の断面図であり，２つの鉗子口１２４，１３４の軸を含む面で切断した場合の断面図である。図３（ａ）は連通路１５０が連通している状態を示し，図３（ｂ）は連通路１５０が遮断している状態を示す。本実施形態では，連通路１５０を突出部１６０の基端部１７０側に設けている。
【００２８】
以下，具体的に説明する。図２に示すように，手元操作部１０４の先端側の外周の一部には，手元操作部１０４の外側へ前傾して突出する突出部１６０が設けられ，この突出部１６０は，手元操作部１０４と一体となっている基端部１７０と，この基端部１７０に脱着自在に取付けられる先端部１８０とから構成される。
【００２９】
突出部１６０の基端部１７０と先端部１８０は接続手段によって接続される。接続手段としては，例えば基端部１７０の先端縁部に形成された掛止凸部１７５が先端部１８０の基端縁部に形成された掛止凹部１８５に掛止される構成にしてもよい。なお，突出部１６０の基端部１７０と先端部１８０との接続手段としては上記のものに限られるものではなく，公知の接続手段を適用可能である。
【００３０】
なお，突出部１６０の基端部１７０は手元操作部１０４と一体となっているので，手元操作部１０４と同様の材質例えば樹脂などで構成される。また，突出部１６０の先端部１８０は例えばゴム材などで構成する。このように，突出部１６０の先端部１８０を例えばゴム材で構成すれば，気密性を高めることができる。また突出部１６０の先端部１８０を例えば樹脂材で構成してもよい。この場合にはさらに気密を高めるために接続手段の部位にＯリングなどの気密部材を設けてもよい。なお，突出部１６０の基端部１７０と先端部１８０は気密に接続される。
【００３１】
突出部１６０の基端部１７０には，図３にも示すように，処置具例えば鉗子などを挿入する処置具挿入管の１例としての鉗子挿入管１２６，１３６が配設されている。鉗子挿入管１２６，１３６の基端はそれぞれ上記鉗子チャンネル１２０，１３０に接続されている。鉗子挿入管１２６，１３６の先端は，図３に示すように突出部１６０の先端部１８０に設けられた鉗子口１２４，１３４に接続している。
【００３２】
突出部１６０の基端部１７０には，さらに上記鉗子挿入管１２６，１３６を連通して上記鉗子チャンネル１２０，１３０を連通する連通路１５０を構成する連通溝１５２が形成されている。この連通溝１５２は，突出部１６０の基端部１７０における先端部１８０との接続面１７２に形成される。
【００３３】
これにより，突出部１６０の基端部１７０に先端部１８０を接続すると，連通溝１５２は上記連通路１５０を構成し，突出部１６０の基端部１７０から先端部１８０を取外すと，連通溝１５２は露出するので，洗浄容易となる。
【００３４】
突出部１６０の基端部１７０と先端部１８０との接続面１７２には，これら基端部１７０と先端部１８０との気密を高めるため，係止部が形成されている。この係止部は例えば基端部１７０側の接続面１７２の連通溝１５２の両側部位に形成された一対の凸部１７３，１７４と，先端部１８０側の接続面１８２に形成され，上記凸部１７３，１７４が係止される凹部（図示しない）とから構成される。
【００３５】
突出部１６０の先端部１８０には，基端部１７０の連通溝１５２を出入りして連通路１５０を連通又は遮断する切換手段１９０が設けられている。切換手段１９０は，例えば図３に示すように切換部材例えばカム部材１９４を備える。カム部材１９４は，鉗子口１２４と鉗子口１３４との間に，カム軸１９２を中心に回転自在に設けられている。カム軸１９２には，例えば図２に示すような摘み部１９６が取付けられており，この摘み部１９６は突出部１６０の先端部１８０の側面に回転自在に設けられている。この摘み部１９６を回転させることにより，カム部材１９４を回転できるようになっている。
【００３６】
突出部１６０の先端部１８０における少なくとも基端部１７０との接続面１８２には，連通溝１５２と遮蔽する伸縮自在な遮蔽部材１９８が設けられている。遮蔽部材１９８は例えば所定の肉厚を有する膜状に形成され，弾性部材例えばゴム材で構成される。カム部材１９４を囲むように設けられ，カム部材１９４は遮蔽部材１９８を介して基端部１７０の連通溝１５２に当接可能になっている。具体的には例えば突出部１６０の先端部１８０における鉗子口１２４と鉗子口１３４との間に，少なくとも連通溝１５２側の面にカム部材１９４の縁部が出入可能な開口部を有する図示しない枠部（又は枠体）を形成し，この枠部の開口部を覆うように遮蔽部材１９８が設けられる。これにより，カム部材１９４が回転すると，それに応じて上記枠部の開口部においてはカム部材１９４の縁部が進退して遮蔽部材１９８が伸縮する。これにより，カム部材１９４の縁部が遮蔽部材１９８を介して連通溝１５２に押しつけられ又は連通溝１５２から離間して，連通路１５０が遮断又は連通される。
【００３７】
カム部材１９４の外形は，回転中心からの距離が長い部分と短い部分がある滑らかな形状に形成する。具体的には例えば図３に示すようにカム部材１９４の縁部の一部に凸部１９５を有する形状例えば卵形状に形成される。そして，図３（ａ）に示すようにカム部材１９４の凸部１９５が退避状態にある場合には，連通溝１５２は開口され，遮蔽部材１９８との間で連通路１５０が形成される。また，図３（ｂ）に示すようにカム部材１９４の凸部１９５が連通溝１５２側に突出する遮断状態にある場合には，連通溝１５２は閉塞され，連通路１５０は遮断される。
【００３８】
このような第１の実施形態にかかる内視鏡においては，手元操作部１０４の突出部１６０については，その先端部１８０を基端部１７０から取外すだけで，簡単に連通路１５０を構成する連通溝１５２を露出させることができる。このため，連通溝１５２を直接洗浄できるので，連通路１５０の洗浄が極めて容易になる。従って，手元操作部１０４の洗浄も容易とすることができ，洗浄の手間を極力省くことができる。
【００３９】
また，手元操作部１０４の突出部１６０における基端部１７０と先端部１８０との接続面に連通溝１５２を設けて連通路１５０を構成するため，切換手段をカム部材１９４のような簡単な部材を利用して構成することにより連通路１５０を連通又は遮断することができるので，部品点数を減らすことができるとともに，手元操作部の重量も減少させることができる。
【００４０】
また，第１の実施形態では，切換手段を構成するカム部材１９４を伸縮自在な遮蔽部材１９８により連通溝１５２から遮蔽し，この遮蔽部材１９８を介して連通溝１５２に押しつけて連通路１５０を遮断するようにしている。このようにカム部材１９４を遮蔽部材１９８で連通路１５０から遮蔽すれば，内視鏡を使用する際に例えば吸引などにより連通路１５０を通る血液や汚物などがカム部材１９４の方へ入り込むことを防止することができる。これにより，カム部材１９４の部分を取外して洗浄する必要がないため，洗浄の手間を省くことができる。さらに，遮蔽部材１９８を設けることにより，例えば摘み部１９６とカム部材１９４との間に別途Ｏリングなどを設けなくても，連通路１５０とカム部材１９４の取付部との気密を十分に確保することができる。これにより，簡単な構成で例えば内視鏡を吸引操作する際に連通路１５０からの空気漏れを防止することができる。
【００４１】
なお，上記遮蔽部材１９８は必ず設ける必要はない。例えば上記遮蔽部材１９８を設けずに，カム部材１９４を連通溝１５２に直接押しつけて連通路１５０を遮断するようにしてもよい。このように，遮蔽部材１９８を設けない場合には，カム部材１９４の材質は連通路１５０を遮断する際の気密性を高めるため，ゴム材などの弾性材料であることが好ましい。遮蔽部材１９８を設ける場合にも，カム部材１９４の材質は気密性を高めるためにゴム材などの弾性材料が好ましいが，樹脂材料，金属材料であってもよい。
【００４２】
（第２の実施形態）
次に，本発明の第２の実施形態にかかる内視鏡について図面を参照しながら説明する。図４は，第２の実施形態にかかる内視鏡における突出部１６０を２つの鉗子口１２４，１３４の軸を含む面で切断した場合の断面図であり，図４（ａ）は連通路１５０が連通している状態を示し，図４（ｂ）は連通路１５０が遮断している状態を示す。なお，第２の実施形態では，第１の実施形態と同様に連通路１５０を突出部１６０の基端部１７０側に設けている。また，第１の実施形態では，連通路１５０を連通又は遮断する切換手段１９０としてカム部材１９４を利用したものについて説明したが，第２の実施形態における連通路１５０を連通又は遮断する切換手段２１０は，スライド部材２１４を利用するものである。
【００４３】
すなわち，本実施形態における切換手段２１０は，切換部材として例えば図４に示すようなスライド部材２１４を備える。スライド部材２１４は，鉗子口１２４と鉗子口１３４との間に，スライド軸２１２により基端部１７０の連通溝１５２へ進退自在にスライド可能に設けられている。スライド軸２１２には例えば図２に示すような摘み部１９６が取付けられている。第２の実施形態における摘み部１９６は，第１の実施形態の場合とは異なり，突出部１６０の先端部１８０の側面にスライド自在に取付けられており、この摘み部１９６は突出部１６０の先端部１８０の側面にスライド自在に取付けられている。この摘み部１９６をスライドさせることにより，スライド部材２１４を進退できるようになっている。スライド部材２１４が進退することにより，スライド部材２１４の先端が連通溝１５２に押しつけられ又は連通溝１５２から離間して，連通路１５０が遮断又は連通される。
【００４４】
切換手段２１０の内側には，例えば基端部１７０へ開口したコの字形状の空間が形成されており，この空間内にスライド部材２１４が内装されており，スライド部材２１４は切換手段２１０の内壁２２０に沿ってスライド可能になっている。
【００４５】
切換手段２１０の内壁２２０にはスライド部材２１４を位置決めするための位置決め用凹部２２２，２２４が形成されている。位置決め用凹部２２２，２２４はそれぞれ，突出部１６０の先端部１８０の先端側と基端側に位置する。位置決め用凹部２２２は連通路１５０の連通状態にするときのスライド部材２１４の退避位置を位置決めするためのものであり，位置決め用凹部２２４は連通路１５０を遮断状態にするときのスライド部材２１４の遮断位置とを位置決めするためのものである。
【００４６】
すなわち，図４（ａ）に示すようにスライド部材２１４に形成された位置決め用凸部２１６が位置決め用凹部２２２に掛止される退避位置では，スライド部材２１４が退避状態にあるため，連通溝１５２は開口され，連通溝１５２は切換手段２１０との間で連通路１５０が形成される。また，図４（ｂ）に示すようにスライド部材２１４に形成された位置決め用凸部２１６が位置決め用凹部２２４に掛止される遮断位置では，スライド部材２１４が遮断状態にあるため，連通溝１５２は閉塞され，連通路１５０は遮断される。
【００４７】
なお，切換手段２１０は，樹脂材料で構成してもよいが，より気密性を高めるため，ゴム材などの弾性材料で構成することが好ましい。
【００４８】
このような第２の実施形態にかかる内視鏡における切換手段２１０は，スライド部材２１４のような簡単な部材を利用して構成することにより連通路１５０を連通又は遮断することができるので，部品点数を減らすことができるとともに，手元操作部の重量も減少させることができる。
【００４９】
しかも，切換手段２１０は，スライド部材２１４をコの字形状の内壁２２０に沿って連通溝１５２に対して進退自在にスライド可能に構成し，切換手段２１０の内壁２２０には位置決め用凹部２２２，２２４を形成するので，連通路１５０を遮断する際はスライド部材２１４が連通溝１５２にしっかり押しつけられるため，十分に気密性を確保することができる。
【００５０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５１】
例えば上記第１及び第２の実施形態においては，突出部１６０の基端部１７０側に，鉗子チャンネル１２０，１３０を連通する連通路１５０を構成する連通溝を設け，突出部１６０の先端部１８０側に，上記連通路１５０を連通又は遮断する切換手段を設けた場合について説明したが，必ずしもこれに限定されるものではなく，図５に示すように突出部１６０の先端部１８０側に，上記連通路１５０を構成する連通溝１５２を設け，突出部１６０の基端部１７０側に，上記連通路１５０を連通又は遮断する切換手段を設けるようにしてもよい。図５における切換手段は，例えば第１の実施形態と同様に遮蔽部材１９８を介してカム部材を回転して上記連通溝１５２を連通又は遮断するものであってもよく，第２の実施形態と同様に遮蔽部材１９８を設けずに直接スライド部材２１４をスライドさせて上記連通溝１５２を連通又は遮断するものであってもよい。この場合、カム部材、スライド部材などを利用した切換手段により遮蔽部材１９８を介して連通溝１５２を連通又は遮断するようにすれば、第１の実施形態の場合と同様に、内視鏡を使用する際に例えば吸引などにより連通路１５０を通る血液や汚物などがカム部材１９４の方へ入り込むことを防止することができる。これにより，カム部材などの切換部材の部分を取外して洗浄する必要がないため，洗浄の手間を省くことができる。特に図５に示すものにおいては、切換手段を手元操作部１０４に設けることになるので、手元操作部１０４の洗浄を容易にする効果がある。
【００５２】
また，第１の実施形態では図３に示すように突出部１６０の基端部１７０と先端部１８０との気密を高めるために設ける係止部は，基端部１７０側の接続面１７２の連通溝１５２の両側部位に形成された一対の凸部１７３，１７４と，先端部１８０側の接続面１８２に形成され，上記凸部１７３，１７４が係止される凹部とから構成される場合について説明したが，必ずしもこれに限定されるものではなく，図５に示すように先端部１８０側の接続面１８２の連通溝１５２の両側部位に形成された一対の凸部１８６，１８８と，基端部１７０側の接続面１７２に形成され，上記凸部１８６，１８８が係止される凹部１７６，１７８とから構成してもよい。
【００５３】
また，上記第１及び第２の実施形態においては，本発明を直視型内視鏡に適用する場合について説明したが，必ずしもこれに限定されるものではなく，側視型内視鏡，斜視型内視鏡などに適用してもよい。
【産業上の利用可能性】
【００５４】
本発明は，例えば手元操作部に処置具などを挿入する挿入口を複数備えた内視鏡に適用可能である。
【図面の簡単な説明】
【００５５】
【図１】本発明にかかる内視鏡の管路構成を示す概略図である。
【図２】本発明の第１の実施形態にかかる内視鏡の手元操作部に設けられた突出部の構成を示す組立斜視図である。
【図３】図２に示す突出部が組立てられた状態の概略構成を示す断面図であり，図３（ａ）は連通路が連通している状態を示し，図３（ｂ）は連通路が遮断している状態を示すものである。
【図４】本発明の第２の実施形態にかかる内視鏡の突出部の断面図であり，図４（ａ）は連通路が連通している状態を示し，図４（ｂ）は連通路が遮断している状態を示すものである。
【図５】本発明にかかる内視鏡の変形例を示す図である。
【図６】従来の内視鏡の構成を示す部分斜視図である。
【図７】図６に示す内視鏡の突出部の概略構成を示す断面図である。
【符号の説明】
【００５６】
１００      内視鏡
１０２      挿入部
１０４      手元操作部
１０６      ユニバーサルコード部
１０８      コネクタ部
１１０      制御装置
１２０      鉗子チャンネル（管路）
１３０      鉗子チャンネル（管路）
１２２      開口部
１３２      開口部
１２４      鉗子口（処置具挿入口）
１３４      鉗子口（処置具挿入口）
１２６      鉗子挿入管（処置具挿入管）
１３６      鉗子挿入管（処置具挿入管）
１３１      分岐部
１４０      操作部側吸引管路
１４２      コネクタ部側吸引管路
１４４      吸引バルブ
１５０      連通路
１５２      連通溝
１６０      突出部
１７０      基端部
１７２      接続面
１７３      凸部
１７４      凸部
１７５      掛止凸部
１７６      凹部
１７８      凹部
１８０      先端部
１８２      接続面
１８５      掛止凹部
１８６      凸部
１８８      凸部
１９０      切換手段
１９２      カム軸
１９４      カム部材
１９５      凸部
１９６      摘み部
１９８      遮蔽部材
２１０      切換手段
２１２      スライド軸
２１４      スライド部材
２１６      位置決め用凸部
２２０      内壁
２２２      位置決め用凹部
２２４      位置決め用凹部
【図１】
2005185636.tif 000003
【図２】
2005185636.tif 000004
【図３】
2005185636.tif 000005
【図４】
2005185636.tif 000006
【図５】
2005185636.tif 000007
【図６】
2005185636.tif 000008
【図７】
2005185636.tif 000009